(57)【要約】【課題】より簡略化された動作でロールぺーパーホルダーから使用済みのロール芯を取り出し、新しいロールペーパーを装着することができるロールぺーパーホルダーを提供することである。【解決手段】背板１、及び背板１の両側の側板２ａ、２ｂを備えた本体と、側板２ａ、２ｂの、それぞれの前下部に取り付けられた上部傾斜片と、側板２ａ、２ｂのそれぞれに、上部傾斜片と対向するように取り付けられた下部傾斜片と、上部傾斜片と下部傾斜片の間に固定された傾斜固定軸５ａ，５ｂと、傾斜固定軸５ａ，５ｂを軸として回動するロールペーパーの支持アーム６ａ、６ｂと、両側の側板２ａ、２ｂの後上部で軸支されて回動するカバー板７と、背板１の上部に設けられた背板側の突起３ａ、３ｂと、カバー板７の後端に設けられ、背板側の突起３ａ、３ｂと係合可能なカバー板側の突起８ａ、８ｂとを有することを特徴とする。【選択図】図１
2015150121.tif 000002
【特許請求の範囲】
【請求項１】
背板、及び前記背板の両側の側板を備えた本体と、
前記側板の、それぞれの前下部に取り付けられた上部傾斜片と、
前記側板のそれぞれに、前記上部傾斜片と対向するように取り付けられた下部傾斜片と、
前記上部傾斜片と前記下部傾斜片の間に固定された傾斜固定軸と、
前記傾斜固定軸を軸として回動するロールペーパーの支持アームと、
前記両側の側板の後上部で軸支されて回動するカバー板と、
前記背板の上部に設けられた背板側の突起と、
前記カバー板の後端に設けられ、前記背板側の突起と係合可能な前記カバー板側の突起と
を有することを特徴とするロールペーパーホルダー。
【請求項２】
前記前記カバー板側の突起は、前記カバー板の回動によって、前記背板側の突起の上側に移動したとき、回動可能になり、前記背板側の突起の下側に移動したとき、前記カバー板が係止されることを特徴とする請求項１記載のロールペーパーホルダー。
【請求項３】
前記傾斜固定軸は、垂直方向に対して後方に傾斜していることを特徴とする請求項１記載のロールペーパーホルダー。
【請求項４】
前記傾斜固定軸は、前記上部傾斜片と前記下部傾斜片の少なくとも何れか一方に固定されていることを特徴とする請求項１記載のロールペーパーホルダー。
【請求項５】
前記支持アームは、前記ロールペーパーの芯の穴に挿入されることを特徴とする請求項１記載のロールペーパーホルダー。
【請求項６】
前記支持アームは、前記傾斜固定軸を軸として回動する円筒部材と、前記円筒部材から延在した羽根部材とを有することを特徴とする請求項１記載のロールペーパーホルダー。
【請求項７】
前記支持アームは、内側を向くように前記羽根部材を付勢するバネを有することを特徴とする請求項１記載のロールペーパーホルダー。
【請求項８】
前記カバー板の後部下面には、前記側板に設けられた係合溝に軸支された回動軸を有することを特徴とする請求項１記載のロールペーパーホルダー。
【発明の詳細な説明】
【技術分野】
【０００１】
本発明は、トイレットペーパーやキッチンペーパーなどロールぺーパーを保持して、必要な長さだけ引出して切り取ることができるロールペーパーホルダーに関する。
【背景技術】
【０００２】
従来、ロールぺーパーホルダーは、トイレットペーパーや、キッチンペーパーなどロールぺーパーを保持し、壁に取り付けて用いられる。
【０００３】
ロールぺーパーホルダーから使用済みのロール芯を取り出し、新しいロールペーパーを装着するための機構は種々あるが、通常、カバー板を手で引き上げた状態で、ロールぺーパーホルダーからロール芯とともに支持軸を取り外し、支持軸からロール芯を取り外した後に、引き続き、支持軸を新しいロールぺーパーのロール芯の穴に挿入し、カバー板を手で引き上げた状態で、本体の側板に装着し軸支する第１の機構が知られている。この場合、支持軸を取り外す必要があるので、特に手間がかかっていた。
【０００４】
或いは、側板に取り付けられて上下方向に揺動するロールぺーパーの支持軸を有し、ロールぺーパーを上下方向に移動させて出し入れを行う第２の機構が知られている（特許文献２）。この場合、ロールぺーパーホルダーの上方の空間と下方の空間が有効活用できない。
【０００５】
或いは、側板に取り付けられて水平方向に揺動するロールぺーパーの支持軸を有し、カバー板を手で引き上げた状態で、ロール芯を水平方向に引き出して支持軸から取り外し、引き続き、カバー板を手で引き上げた状態で、新しいロールぺーパーを正面水平方向から本体に入れて支持軸に装着する第３の機構が知られている。
【先行技術文献】
【特許文献】
【０００６】
【特許文献１】特開２０１３−４８６８４号公報
【特許文献２】特開２０１３−１４６５６６号公報
【発明の概要】
【発明が解決しようとする課題】
【０００７】
しかしながら、第３の機構の場合には、第１及び第２の機構の場合の不都合は回避されるものの、ロールぺーパーホルダーから使用済みのロール芯を取り出し、新しいロールペーパーを装着する際に、ロール芯の取り出し及び新しいロールペーパーの装着という動作のほかに少なくとも１回はカバー板を手で引き上げる動作が必要であり、手間がかかっていた。
【０００８】
本発明は、上述の問題点に鑑みて創作されたものであり、より簡略化された動作で、ロールぺーパーホルダーから使用済みのロール芯を取り出し、新しいロールペーパーを装着することができるロールぺーパーホルダーを提供するものである。
【課題を解決するための手段】
【０００９】
一観点によれば、背板、及び前記背板の両側の側板を備えた本体と、前記側板の、それぞれの前下部に取り付けられた上部傾斜片と、前記側板のそれぞれに、前記上部傾斜片と対向するように取り付けられた下部傾斜片と、前記上部傾斜片と前記下部傾斜片の間に固定された傾斜固定軸と、前記傾斜固定軸を軸として回動するロールペーパーの支持アームと、前記両側の側板の後上部で軸支されて回動するカバー板と、前記背板の上部に設けられた背板側の突起と、前記カバー板の後端に設けられ、前記背板側の突起と係合可能な前記カバー板側の突起とを有することを特徴とするロールペーパーホルダーが提供される。
【発明の効果】
【００１０】
本発明のロールぺーパーホルダーによれば、支持アームは傾斜固定軸を軸として斜めに回動する構造にしているので、使用済みのロール芯を支持アームから取り出すとき、ロール芯は斜め上方に向かって取り出されることになる。
【００１１】
ロール芯が斜め上方に取り出されるとき、ロール芯がカバー板の前下部に接触することになってこれを押し上げるので、軸支されたカバー板の前部は上方向に、カバー板の後部では下方向に向かって回動する。回動によって、背板の突起の上側に位置していたカバー板の後部の突起が背板の突起を乗り越えると、カバー板の突起は、背板の突起の下側の位置で止まり、カバー板は上がった状態、すなわち、開いた状態になる。
【００１２】
このようにして、使用済みのロール芯を取り出す動作だけで、カバー板の前側を大きく開いた状態にすることができるので、そのまますぐに新しいロールペーパーをロールぺーパーの支持アームにセットすることができる。
【００１３】
このように、本発明のロールぺーパーホルダーによれば、ロールぺーパーの入れ換え動作をより簡略化することができるので、特に、ホテルや公共の場所で多数のトイレが設置されている場合に、ロールぺーパーの交換をより一層簡単に行うことができるようになる。
【図面の簡単な説明】
【００１４】
【図１】図１は、本発明の実施形態に係るロールペーパーホルダーを示す斜視図である。
【図２】（ａ）は、図１のロールペーパーホルダーの支持アーム及びその周辺の機構を示す斜視図であり、（ｂ）は、傾斜固定軸の機構を示す斜視図である。
【図３】（ａ）は、図１のロールペーパーホルダーのカバー板を示す斜視図であり、（ｂ）は、Ａ方向から見た軸支機構を示す部分正面図であり、（ｃ）は、Ｂ方向であって、図３（ｂ）のI-I線に沿う断面から矢印の方向に見た軸支機構を示す部分側面図である。
【図４】（ａ）、（ｂ）は、図１のロールペーパーホルダーへのロールペーパーの入れ換え方法を説明する側面図（その１）である。
【図５】（ａ）、（ｂ）は、図１のロールペーパーホルダーへのロールペーパーの入れ換え方法を説明する側面図（その２）である。
【図６】（ａ）、（ｂ）は、図１のロールペーパーホルダーへのロールペーパーの入れ換え方法を説明する側面図（その３）である。
【図７】（ａ）、（ｂ）は、図１のロールペーパーホルダーへのロールペーパーの入れ換え方法を説明する側面図（その４）である。
【図８】図８は、本発明の実施形態の応用例に係るロールペーパーホルダーを示す斜視図である。
【発明を実施するための形態】
【００１５】
以下に、本発明の実施形態について図面を参照しながら説明する。
【００１６】
（１）本発明の実施形態に係るロールペーパーホルダーについての説明
（ロールペーパーホルダーの構造）
図１は、本発明の実施形態に係るロールペーパーホルダーを示す斜視図である。
【００１７】
図２（ａ）は、図１のロールペーパーホルダーの支持アーム及びその周辺の機構を示す斜視図であり、図２（ｂ）は、傾斜固定軸の機構を示す斜視図である。
【００１８】
図３（ａ）は、図１のロールペーパーホルダーのカバー板を示す斜視図であり、図３（ｂ）は、Ａ方向から見た軸支機構を示す部分正面図である。また、図３（ｃ）は、Ｂ方向であって、図３（ｂ）のI-I線に沿う断面から矢印の方向に見た軸支機構を示す部分側面図である。
【００１９】
本実施形態に係るロールペーパーホルダーは、図１に示すように、背板１と、背板１の両側に板面を対向させて取り付けられた側板２ａ、２ｂとを備えたロールペーパーホルダー本体を有する。
【００２０】
背板１の上部には、２箇所に背板側の突起３ａ、３ｂが設けられている。
【００２１】
また、両側の側板２ａ、２ｂの対向面の前下部に、それぞれ、凹部４ａ、４ｂが形成されている。凹部４ａ、４ｂには、固定軸５ａ、５ｂがロールペーパーホルダー１０１の後側（すなわち、水平な方向に対する垂直な方向に対して後側）に傾くように固定して取り付けられている。
【００２２】
凹部４ａ、４ｂは、前端が後端よりも上になるように傾斜した上面と、上面に平行な下面とを有する。凹部４ａ、４ｂ内部の傾斜した上面と下面は、それぞれ、図２（ａ）に示す例のように、上部傾斜片１１ａと下部傾斜片１１ｂによって形成されている。図２（ａ）では、凹部４ａにおける例を示す。以下同じである。このような上面と下面に固定軸５ａが傾斜した上面と下面に対して垂直に取り付けられる。固定軸５ａは、図２（ｂ）に示す例のように、細長いピン１２ａと、ピン１２ａに挿入されるバネ１２ｂとで構成される。バネ１２ｂの一方に延在する部分１２ｄを後述する支持アーム６ａの羽根１３ｂの内部に入れて、バネ止め１４ｂを構成する２つの突起の間に挟んでバネ１２ｂが動かないようにする。また、バネ１２ｂの他方に延在する部分１２ｃは下部傾斜片１１ｂ上に取り付けられた、バネ止め１４ａを構成する２つの突起の間に挟んでバネ１２ｂが動かないようにする。
【００２３】
また、固定軸５ａ、５ｂにはロールぺーパーの支持アーム６ａ、６ｂが回動自在に取り付けられている。支持アーム６ａ、６ｂはロールペーパーのロール芯の穴に大部分を挿入することができる大きさを有する。
【００２４】
支持アーム６ａ、６ｂは、図２に示す例では、固定軸５ａを囲み、固定軸５ａを中心に回動する円筒部材１３ａと、円筒部材１３ａに一体的に取り付けられた羽根１３ｂとで構成される。羽根１３ｂの部分は横に長い逆台形の箱のような形状を有する。支持アーム６ａの固定軸５ａに取り付けられたバネ１２ｂにより、支持アーム６ａが側板２ａの面に交差する方向、すなわち、支持アーム６ａの先端が対向する相手側の側板２ｂの方に、すなわち本体の内側に向くように付勢される。このとき、固定軸５ａが傾斜しているため、支持アーム６ａの広い面は斜め上方を向く。また、側板２ａに形成された凹部４ａ全体の形状は、支持アーム６ａの形状に相似し、かつ支持アーム６ａの形状よりも一回り大きな形状を有し、ちょうど支持アーム６ａ全体が収納されるようになっている。
【００２５】
上記の構成により、支持アーム６ａ、６ｂは、ロールペーパーホルダーの前側に回動したとき先端が斜め上に向き、後側に回動したとき先端が斜め下に向く。これにより、使用済みのロール芯を取り出すときに、ロール芯を必然的に斜め上方向に移動させることになり、新しいロールペーパーをセットするときに、新しいロールペーパーを必然的に斜め上方から運び入れることになる。なお、支持アーム６ａ、６ｂは、後側に回動したときに凹部４ａ、４ｂに収納される。
【００２６】
また、ロールペーパーホルダー１０１は、カバー板７を有し、カバー板７の後端近くの下面には回動軸７ａが取り付けられている。
【００２７】
回動軸７ａは、図３（ａ）、（ｂ）、（ｃ）に示すように、両側の側板２ａ、２ｂの対向面の後上部で、両側の側板２ａ、２ｂを橋渡しして軸支されている。図３（ｂ）、（ｃ）では、側板２ｂ側で側板２ｂに形成された係合溝９に回動軸７ａが軸支された例を示す。これにより、カバー板７が回動軸７ａを中心に回動するようになっている。
【００２８】
さらに、図３（ａ）に示すように、カバー板７の後端の２箇所にカバー板側の突起８ａ、８ｂが形成されている。カバー板側の突起８ａ、８ｂは、背板１の背板側の突起３ａ、３ｂの先端よりも少し背板側の突起３ａ、３ｂの方に突出しており、カバー板７を回動させるとき弱い力では背板側の突起３ａ、３ｂに引っかかり、その回動が妨げられるようになっている。しかし、カバー板７の前端７ｂに適度に大きな力を加えると、第２の突起８ａ、８ｂが背板側の突起３ａ、３ｂの上側から下側に、或いは、下側から上側に、容易に移動できるようになっている。このため、背板側の突起３ａ、３ｂ及びカバー板側の突起８ａ、８ｂは弾力性のあるプラスチック材料などで作製されている。なお、背板側の突起３ａ、３ｂは背板１と一体的に同じ材料で作製されてもよいし、別の材料で作製され、後で背板１に取り付けられてもよい。カバー板側の突起８ａ、８ｂも、同様に、カバー板７と一体的に同じ材料で作製されてもよいし、別の材料で作製され、後でカバー板７に取り付けられてもよい。
【００２９】
したがって、カバー板７の前端７ｂを適度に大きな力で上方向に回動することで、カバー板７の後端のカバー板側の突起８ａ、８ｂが背板側の突起３ａ、３ｂの上側から下側に移動して背板側の突起３ａ、３ｂに係止され、カバー板７の前端７ｂを上方向に持ち上げた状態を保持することができる。
【００３０】
また、カバー板７は、前部７ｃがロールペーパーの形状に合わせて下側に湾曲している。さらに、前端７ｂがカッターになっており、ロールから引き出したペーパーを切り取ることができるようになっている。
【００３１】
なお、図１において、符号１０は、背板１及び側板２ａ、２ｂの上に設けられて本体内部（ロールペーパー保持部）を覆う天板である。
【００３２】
上述したロールペーパーホルダー１０１によれば、固定軸５ａ、５ｂが、側板２ａ、２ｂに、ロールペーパーホルダー１０１の後側に傾くように取り付けられているため、支持アーム６ａ、６ｂは、ロールペーパーホルダー１０１の前側に回動したとき先端が斜め上に向き、後側に回動したとき先端が斜め下に向く。
【００３３】
このような構成では、傾斜した固定軸５ａ、５ｂに応じて、水平方向の出し入れは困難であり、必然的に、未使用のロールペーパーを斜め上方向からロールペーパーホルダー１０１内に運び入れるとともに、使い切ったロール芯をロールペーパーホルダー１０１内から斜め上方向に取り出すことになる。
【００３４】
（ロールペーパーの入れ換え方法）
次に、図４乃至図７を参照して、図１〜３のロールペーパーホルダーへのロールペーパーの入れ換え方法について説明する。なお、図４乃至図７では、側板２ｂ側から見た動作を示している。
【００３５】
まず、図４（ａ）に示すように、ロールペーパー２１を使いきると、ロールペーパー２１のロール芯２１ａが残り、カバー板７は、ロールペーパー２１のロール芯２１ａの上に回動可能な状態で置かれる。
【００３６】
次に、ロール芯２１ａを取り外すため、ロール芯２１ａを手２２に持って、図４（ｂ）に示すように、ロール芯２１ａを傾斜固定軸の傾斜に応じて斜め上方向に移動させる。このとき、図５（ａ）に示すように、斜め上方向に移動するロール芯２１ａの軌跡の範囲にカバー板７の前部７ｃが掛かるため、ロール芯２１ａを取り外すためのロール芯２１ａの移動と同時に、カバー板７の前部７ｃを上方向に回動させて、カバー板７の後端の突起８ａ、８ｂを背板側の突起３ａ、３ｂの下側に移動させ、カバー板７を係止することができる。
【００３７】
これにより、カバー板７を図５（ｂ）のような状態にセットすることができる。すなわち、ロールペーパーホルダー１０１の前側が大きく開いた状態にセットすることができる。このとき、カバー板７の後端が、ロールペーパーホルダー１０１の背板１に設けられた背板側の突起３ａ、３ｂによって係止されて、カバー板７の前部７ｃが上方向に持ち上げられた状態にあり、ロールペーパーホルダー１０１の前側が大きく開いている。このとき、両側板２ａ、２ｂの対向面に設けられた各支持アーム６ａ、６ｂは、本体の内側に突出し、支持アーム６ａ、６ｂの広い面がロールペーパーホルダー１０１の前側の斜め上方向に向いている。
【００３８】
次に、図６（ａ）、図６（ｂ）に示すように、大きく開いたロールペーパーホルダー１０１の前側の、支持アーム６ａ、６ｂの広い面に対向する斜め上方向から、一対の支持アーム６ａ、６ｂの固定軸５ａ、５ｂの間の領域にロールペーパー２１を運び入れる。そして、図７（ａ）に示すように、ロールペーパー２１のロール芯２１ａの両端の穴にそれぞれ支持アーム６ａ、６ｂを挿入する。これにより、ロールペーパー２１は、支持アーム６ａ、６ｂに回動可能に支持される。
【００３９】
次に、図７（ｂ）に示すように、カバー板７の前部７ｃを下方向に引き下ろすことで、カバー板７の後端のカバー板側の突起８ａ、８ｂが背板側の突起３ａ、３ｂの係止から解放されて、カバー板７がロールペーパー２１の上に回動可能な状態で置かれる。
【００４０】
ロールペーパー２１が使用されるに従い、ペーパーの残量に応じて、カバー板７の前部７ｃは、ロールペーパー２１に当接しながら下方に回動する。以上により、入れ替えが完了し、ロールペーパーを使用できる状態になる。
【００４１】
以上のように、本発明の実施形態のロールペーパーホルダー１０１によれば、図４（ｂ）乃至図５（ｂ）に示すように、使用済みのロール芯２１ａを取り出すときに、傾斜固定軸５ａ、５ｂの傾斜に応じて必然的に斜め上方向に移動させることになり、その移動中にロール芯２１ａがカバー板７の前端に接触してカバー板７を上方向に回動させ、背板側の突起３ａ、３ｂによってカバー板７の前側７ｃが大きく開いた状態でカバー板７を係止することができる。
【００４２】
したがって、図５（ｂ）乃至図７（ａ）に示すように、引き続き、カバー板７の前端７ｂを手で上方向に引き上げることなしに新しいロールペーパー２１をロールぺーパーホルダー１０１にセットすることができる。
【００４３】
よって、従来の場合に、ロールぺーパーホルダーから使用済みのロール芯を取り出し、新しいロールペーパーを装着する際に、ロール芯の取り出し及び新しいロールペーパーの装着という動作のほかに少なくとも１回はカバー板を手で引き上げる動作が必要であったことに比較すると、ロールペーパー２１の入れ換え動作をより簡略化することができる。特に、ホテルや公共の場所で多数のトイレが設置されている場合に、ロールペーパーの交換をより一層簡単に行うことができるようになる。
【００４４】
（応用例）
図８は、本発明の実施形態の応用例に係るロールペーパーホルダー１０２を示す斜視図である。
【００４５】
応用例に係るロールペーパーホルダー１０２では、図１〜図３に示すロールペーパーホルダー１０１を、２つ横に並べて設けている。一方を予備とすることで、ロールぺーパーを使用中にロールぺーパーがなくなる心配をしなくてもよくなる。
【００４６】
以上、実施の形態によりこの発明を詳細に説明したが、この発明の範囲は上記実施の形態に具体的に示した例に限られるものではなく、この発明の要旨を逸脱しない範囲の上記実施の形態の変更はこの発明の範囲に含まれる。
【００４７】
例えば、背板１の突起部及びカバー板７の後端のカバー板側の突起部を、それぞれ２箇所設けているが、１箇所でもよいし、３箇所以上でもよい。
【００４８】
また、固定軸（傾斜固定軸）５ａ、５ｂが、上部傾斜片１１ａと下部傾斜片１１ｂの両方に固定されているが、上部傾斜片１１ａと下部傾斜片１１ｂの何れか一方に固定されていればよい。
【００４９】
また、支持アーム６ａ、６ｂを収納する凹部４ａ、４ｂ内の、固定軸５ａ、５ｂを固定する傾斜した上面と下面をそれぞれ、上部傾斜片１１ａと下部傾斜片１１ｂにより形成しているが、側板２ａ、２ｂを切削加工して形成してもよい。これに伴い、凹部４ａ、４ｂ全体を切削加工して形成してもよい。
【符号の説明】
【００５０】
１…背板、２ａ、２ｂ…側板、３ａ、３ｂ…背板側の突起、４ａ、４ｂ…凹部、５ａ、５ｂ…固定軸（傾斜固定軸）、６ａ、６ｂ…支持アーム、７…カバー板、７ａ…回動軸、８ａ、８ｂ…カバー板側の突起、９…係合溝、１０…天板、１１ａ…上部傾斜片、１１ｂ…下部傾斜片、１２ａ…ピン、１２ｂ…バネ、１３ａ…円筒部材、１３ｂ…羽根、１４ａ、１４ｂ…バネ止め、２１…ロールペーパー、２１ａ…ロール芯、２２…手。
【図１】
2015150121.tif 000003
【図２】
2015150121.tif 000004
【図３】
2015150121.tif 000005
【図４】
2015150121.tif 000006
【図５】
2015150121.tif 000007
【図６】
2015150121.tif 000008
【図７】
2015150121.tif 000009
【図８】
2015150121.tif 000010